【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
少なくとも第１のモジュール式部材と第２のモジュール式部材とを含む、複数の寸法的に類似した相互連結可能なモジュール式部材であって、前記第１の相互連結可能なモジュール式部材は、前記第１のモジュール式部材を前記第２のモジュール式部材に固定するためのカップリングのメスの構成要素を定義し、前記カップリングは、オスの構成要素とメスの構成要素とを含み、
前記第１のモジュール式部材の前記メスの構成要素は、前記２つのモジュール式部材が前記部材の高さのほぼ１／２だけ垂直方向にオフセットされるように、連結位置に前記第２のモジュール式部材のオスの構成要素を受け入れるように構成されていること
を特徴とする、複数の寸法的に類似した相互連結可能なモジュール式部材。
【請求項２】
前記第１の部材と前記第２の部材との間の総計としての傾きは、結合されたときに１：２であること
をさらに特徴とする、請求項１に記載の複数の寸法的に類似した相互連結可能なモジュール式部材。
【請求項３】
前記第１のモジュール式部材と前記第２のモジュール式部材は、複数の配置において接合可能である有限数の標準化されて寸法的に類似の部材のうちの２つであること
をさらに特徴とする、請求項１に記載の複数の寸法的に類似した相互連結可能なモジュール式部材。
【請求項４】
前記有限数の標準化されて寸法的に類似の部材は、第１の垂直方向に整列したカラムを形成するように配置されること
をさらに特徴とする、請求項３に記載の複数の寸法的に類似した相互連結可能なモジュール式部材。
【請求項５】
前記有限数の標準化されて寸法的に類似の部材は、第２の垂直方向に整列したカラムを形成するように配置され、前記第１のカラムは前記第２のカラムと隣接して接合すること
をさらに特徴とする、請求項４に記載の複数の寸法的に類似した相互連結可能なモジュール式部材。
【請求項６】
少なくとも前記第１のカラムまたは前記第２のカラムは、垂直方向の不連続性により特徴づけられること
をさらに特徴とする、請求項５に記載の複数の寸法的に類似した相互連結可能なモジュール式部材。
【請求項７】
前記垂直方向の不連続性は、前記有限数の部材のうち少なくとも第１の部材を前記有限数の部材のうち少なくとも第２の部材上に突出させることにより確立されること
をさらに特徴とする、請求項６に記載の複数の寸法的に類似した相互連結可能なモジュール式部材。
【請求項８】
前記有限数の標準化されて寸法的に類似の部材は、相互連結された部材間の下降パスウェイのシステムを定義すること
をさらに特徴とする、請求項５に記載の複数の寸法的に類似した相互連結可能なモジュール式部材。
【請求項９】
前記第１のカラムと前記第２のカラムは、前記部材の高さのほぼ１／２だけ垂直方向にオフセットされること
をさらに特徴とする、請求項５に記載の複数の寸法的に類似した相互連結可能なモジュール式部材。
【請求項１０】
前記有限数の部材は、前記有限数の部材の上方視点から見ると、長方形格子を形成するように配列されていること
をさらに特徴とする、請求項５に記載の複数の寸法的に類似した相互連結可能なモジュール式部材。
【請求項１１】
前記有限数の部材は、前記有限数の部材の上方視点から見ると、三角格子を形成するように配列されていること
をさらに特徴とする、請求項５に記載の複数の寸法的に類似した相互連結可能なモジュール式部材。
【請求項１２】
前記有限数の部材は、前記有限数の部材の上方視点から見ると、六角格子を形成するように配列されていること
をさらに特徴とする、請求項５に記載の複数の寸法的に類似した相互連結可能なモジュール式部材。
【請求項１３】
前記有限数の部材は、前記有限数の部材の上方視点から見ると、混合多角形タイルを形成するように配列されていること
をさらに特徴とする、請求項５に記載の複数の寸法的に類似した相互連結可能なモジュール式部材。
【請求項１４】
前記第１の部材は、前記有限数の標準化された部材のうちの１つの部材であって、複数の配置で接合可能である部材であり、前記有限数の標準化された部材は、少なくとも２つの寸法的に類似しない形状により特徴付けられていること
をさらに特徴とする、請求項１に記載の複数の寸法的に類似した相互連結可能なモジュール式部材。
【請求項１５】
前記有限数の標準化されて寸法的に類似の部材は、第１の垂直方向に整列したカラムを形成するように配置されること
をさらに特徴とする、請求項１４に記載の複数の寸法的に類似した相互連結可能なモジュール式部材。
【請求項１６】
前記有限数の標準化されて寸法的に類似の部材は、第２の垂直方向に整列したカラムを形成するように配置され、前記第１のカラムは前記第２のカラムと隣接して接合すること
をさらに特徴とする、請求項１５に記載の複数の寸法的に類似した相互連結可能なモジュール式部材。
【請求項１７】
少なくとも１つのモジュール式部材は、前記少なくとも１つのモジュール式部材の側面に少なくとも３つの開口を定義し、前記３つの開口のそれぞれは、前記モジュール式部材の実質的に上半分に球体が入るように構成された水平方向の入口を定義し、前記３つの開口のうちの少なくとも１つは、さらに、前記部材の下半分から球体が出るように構成された水平方向の出口を定義していること
をさらに特徴とする、請求項１に記載の複数の寸法的に類似した相互連結可能なモジュール式部材。
【請求項１８】
統合された開口は、前記水平方向の入口のうちの１つの入口が前記水平方向の出口の上に配置されているように、前記水平方向の出口と前記水平方向の入口のうちの前記１つの入口を定義すること
をさらに特徴とする、請求項１７に記載の複数の寸法的に類似した相互連結可能なモジュール式部材。
【請求項１９】
前記統合された開口は、前記水平方向の出口と、前記水平方向の入口のうちの１つの入口を隣接的に定義すること
をさらに特徴とする、請求項１８に記載の複数の寸法的に類似した相互連結可能なモジュール式部材。
【請求項２０】
前記モジュール式部材は、２つの水平方向の出口を定義し、前記２つの水平方向の出口はモジュール式部材の対向する面上に構成されること
をさらに特徴とする、請求項１７に記載の複数の寸法的に類似した相互連結可能なモジュール式部材。
【請求項２１】
前記モジュール式部材は、２つの水平方向の出口を定義し、前記２つの水平方向の出口はモジュール式部材の隣接する面上に構成されること
をさらに特徴とする、請求項１７に記載の複数の寸法的に類似した相互連結可能なモジュール式部材。
【請求項２２】
前記モジュール式部材は、３つの水平方向の出口を定義すること
をさらに特徴とする、請求項１７に記載の複数の寸法的に類似した相互連結可能なモジュール式部材。
【請求項２３】
前記モジュール式部材は、４つの水平方向の出口を定義すること
をさらに特徴とする、請求項１７に記載の複数の寸法的に類似した相互連結可能なモジュール式部材。
【請求項２４】
前記モジュール式部材は、内部の床表面を定義すること
をさらに特徴とする、請求項１７に記載の複数の寸法的に類似した相互連結可能なモジュール式部材。
【請求項２５】
各水平方向の入口に対して、前記モジュール式部材は、前記床表面への開口を定義すること
をさらに特徴とする、請求項２４に記載の複数の寸法的に類似した相互連結可能なモジュール式部材。
【請求項２６】
前記モジュール式部材は、前記床表面に沿って水平方向の出口へのパスウェイを定義すること
をさらに特徴とする、請求項２４に記載の複数の寸法的に類似した相互連結可能なモジュール式部材。
【請求項２７】
前記モジュール式部材は、内室を定義し、それによって、回転する物体は前記水平方向の入口の１つに入って、前記床表面に落下し、前記水平方向の出口へ転がり、前記水平出口から外部へ落下することにより、前記内室から出ること
をさらに特徴とする、請求項２５に記載の複数の寸法的に類似した相互連結可能なモジュール式部材。
【請求項２８】
前記モジュール式部材は、垂直方向の入口を定義すること
をさらに特徴とする、請求項１７に記載の複数の寸法的に類似した相互連結可能なモジュール式部材。
【請求項２９】
前記モジュール式部材は、実質的に立方体であること
をさらに特徴とする、請求項１に記載の複数の寸法的に類似した相互連結可能なモジュール式部材。
【請求項３０】
前記モジュール式部材は、少なくとも４つの水平方向の入口を定義すること
をさらに特徴とする、請求項１７に記載の複数の寸法的に類似した相互連結可能なモジュール式部材。
【請求項３１】
各水平方向の入口は前記カップリングシステムのメスの構成要素を定義し、前記水平方向の出口は前記カップリングシステムのオスの構成要素を定義すること
をさらに特徴とする、請求項１７に記載の複数の寸法的に類似した相互連結可能なモジュール式部材。
【請求項３２】
前記メスの構成要素は、前記部材の実質的に上半分に定義され、前記オスの構成要素は、前記部材の下半分に定義されること
をさらに特徴とする、請求項３１に記載の複数の寸法的に類似した相互連結可能なモジュール式部材。
【請求項３３】
前記オスの構成要素は、へりがあるＵ字型形状により特徴付けられ、前記へりは、２つの垂直面を定義し、前記オスの構成要素の底周囲を取り巻くこと
をさらに特徴とする、請求項３１に記載の複数の寸法的に類似した相互連結可能なモジュール式部材。
【請求項３４】
前記モジュール式部材が連結されているときには、前記第２のモジュール式部材の前記Ｕ字型形状のオスの構成要素は、前記第１のモジュール式部材の寸法的に補完するＵ字型形状のメス構成要素とぶつかる停止部であること
をさらに特徴とする、請求項３３に記載の複数の寸法的に類似した相互連結可能なモジュール式部材。
【請求項３５】
前記モジュール式部材が連結されているとき、前記第２のモジュール式部材の底面は、前記第１のモジュール式部材のオスの構成要素とぶつかる停止部であること
をさらに特徴とする、請求項３３に記載の複数の寸法的に類似した相互連結可能なモジュール式部材。
【請求項３６】
前記カップリングは、前記第１のモジュール式部材と前記第２のモジュール式部材とを前記第１のモジュール式部材から前記第２のモジュール式部材への実質的に水平方向のパスウェイを定義する固定された位置に配列させ、
前記水平方向のパスウェイは、前記第１のモジュール式部材と前記第２のモジュール式部材の前記カップリングシステムを通過し、前記水平方向のパスウェイは下向きで外向きに傾斜した表面を形成していること
をさらに特徴とする、請求項１に記載の複数の寸法的に類似した相互連結可能なモジュール式部材。
【請求項３７】
各モジュール式部材の上は実質的に開いていること
をさらに特徴とする、請求項３６に記載の複数の寸法的に類似した相互連結可能なモジュール式部材。
【請求項３８】
前記水平方向のパスウェイは、球体が通過するために適していること
をさらに特徴とする、請求項３６に記載の複数の寸法的に類似した相互連結可能なモジュール式部材。
【請求項３９】
前記水平方向のパスウェイは、ビー球が通過するために適していること
をさらに特徴とする、請求項３８に記載の複数の寸法的に類似した相互連結可能なモジュール式部材。
【請求項４０】
前記水平方向のパスウェイは、液体が通過するために適していること
をさらに特徴とする、請求項３６に記載の複数の寸法的に類似した相互連結可能なモジュール式部材。
【請求項４１】
前記第２のモジュール式部材の前記オスの構成要素は、そこからのパスウェイの出口を定義していること
をさらに特徴とする、請求項１に記載の複数の寸法的に類似した相互連結可能なモジュール式部材。
【請求項４２】
前記第１のモジュール式部材の前記メスの構成要素は、前記第１のモジュール式部材への開口を定義すること
をさらに特徴とする、請求項１に記載の複数の寸法的に類似した相互連結可能なモジュール式部材。
【請求項４３】
前記固定された位置が達成され、それにより、前記第２のモジュール式部材の前記オス構成要素の実質的に垂直な外側部分が前記第１のモジュール式部材の前記メス構成要素の実質的に垂直な内側部分と前記第１のモジュール式部材の実質的に垂直なリブとの間に楔止めされていること
をさらに特徴とする、請求項３６に記載の複数の寸法的に類似した相互連結可能なモジュール式部材。
【請求項４４】
前記第２のモジュール式部材の前記オス構成要素の前記実質的に垂直な外側部分と前記第１のモジュール式部材の前記メス構成要素の前記実質的に垂直な部分は補完する抜き勾配を有すること
をさらに特徴とする、請求項４３に記載の複数の寸法的に類似した相互連結可能なモジュール式部材。
【請求項４５】
前記固定された位置が達成され、それにより、前記第２のモジュール式部材の前記オスの構成要素のＵ字型形状部分が前記第１のモジュール式部材の前記メスの構成要素の寸法的に補完するＵ字型形状部分とぶつかること
をさらに特徴とする、請求項３６に記載の複数の寸法的に類似した相互連結可能なモジュール式部材。
【請求項４６】
前記固定された位置が達成され、それにより、前記第２のモジュール式部材の底側が前記第１のモジュール式部材のオスの構成要素とぶつかること
をさらに特徴とする、請求項３６に記載の複数の寸法的に類似した相互連結可能なモジュール式部材。
【請求項４７】
少なくとも１つのモジュール式部材は、
少なくとも３つの水平方向の入口と、
垂直方向の出口と
を含み、前記水平方向の入口は前記垂直方向の出口につながること
をさらに特徴とする、請求項１に記載の複数の寸法的に類似した相互連結可能なモジュール式部材。
【請求項４８】
前記垂直方向の出口は、前記モジュール式部材の下部分に位置すること
をさらに特徴とする、請求項４７に記載の複数の寸法的に類似した相互連結可能なモジュール式部材。
【請求項４９】
前記垂直方向の出口は、前記モジュール式部材の底部分に穴を定義すること
をさらに特徴とする、請求項４８に記載の複数の寸法的に類似した相互連結可能なモジュール式部材。
【請求項５０】
前記穴は円であること
をさらに特徴とする、請求項４９に記載の複数の寸法的に類似した相互連結可能なモジュール式部材。
【請求項５１】
前記モジュール式部材は、実質的に立方体であること
をさらに特徴とする、請求項４７に記載の複数の寸法的に類似した相互連結可能なモジュール式部材。
【請求項５２】
前記モジュール式部材の各々は、前記モジュール式部材の上半分における実質的に垂直な第１の外面と、前記モジュール式部材の下半分における実質的に垂直な第２の外面とを有し、前記第１の外面と前記第２の外面は、補完する抜き勾配を有すること
をさらに特徴とする、請求項１に記載の複数の寸法的に類似した相互連結可能なモジュール式部材。
【請求項５３】
前記モジュール式部材は内部の床表面を定義し、前記内部の床表面は、上向きの凹形状であって、前記垂直方向の出口は前記内部の床表面の中に形成されること
をさらに特徴とする、請求項４７に記載の複数の寸法的に類似した相互連結可能なモジュール式部材。
【請求項５４】
前記垂直方向の接合システムは、オスの接合構成要素とメスの接合構成要素を含むこと
をさらに特徴とする、請求項１に記載の複数の寸法的に類似した相互連結可能なモジュール式部材。
【請求項５５】
前記オスの接合構成要素は、前記１つ以上のモジュール式部材の底部分に配置され、前記メスの接合構成要素は前記１つ以上のモジュール式部材の上部分に配置されていること
をさらに特徴とする、請求項５４に記載の複数の寸法的に類似した相互連結可能なモジュール式部材。
【請求項５６】
前記オスの接合構成要素は、同心湾曲により特徴づけられること
をさらに特徴とする、請求項５４に記載の複数の寸法的に類似した相互連結可能なモジュール式部材。
【請求項５７】
前記オスの接合構成要素は、貫通穴を定義すること
をさらに特徴とする、請求項５４に記載の複数の寸法的に類似した相互連結可能なモジュール式部材。
【請求項５８】
相互連結可能なモジュール式部材であって、
前記相互連結可能なモジュール式部材を寸法的に類似した第２の相互連結可能なモジュール式部材に固定するためのカップリングを含み、前記モジュール式部材は、
少なくとも３つの水平方向の入口と、
少なくとも１つの水平方向の出口と、
床表面を有する内室であって、前記床表面は、前記内室の下部分に位置しており、前記水平方向の入口は、前記内室につながり、前記床表面は前記出口につながる、内室と
を特徴とする、相互連結可能なモジュール式部材。
【請求項５９】
前記床表面は、実質的に凹形状を定義すること
をさらに特徴とする、請求項５８に記載の相互連結可能なモジュール式部材。
【請求項６０】
前記水平方向の出口は、前記内室の外につながる前記床表面における出口パスウェイを含み、前記パスウェイは、前記床表面内に下向きで外向きの傾斜表面を形成すること
をさらに特徴とする、請求項５８に記載の相互連結可能なモジュール式部材。
【請求項６１】
前記出口パスウェイは、前記モジュール式部材の前記床表面に形成された実質的に傾斜した形状を有すること
をさらに特徴とする、請求項６０に記載の相互連結可能なモジュール式部材。
【請求項６２】
前記出口パスウェイは、前記モジュール式部材の前記水平方向の入口の１つを介して前記内室に入る球状の物体に対して、不安定な平衡を作り出すこと
をさらに特徴とする、請求項６０に記載の相互連結可能なモジュール式部材。
【請求項６３】
前記内室の前記床表面は、前記内室に入る球状物体における前後の揺れの動きを誘発すること
をさらに特徴とする、請求項５８に記載の相互連結可能なモジュール式部材。
【請求項６４】
前記前後の揺れの動きは、前記出口パスウェイに対して垂直であること
をさらに特徴とする、請求項５９に記載の相互連結可能なモジュール式部材。
【請求項６５】
前記凹形状の床表面は、前記モジュール式部材の中心に向かって、前記出口のパスウェイの周囲で偏りを形成すること
をさらに特徴とする、請求項５９に記載の相互連結可能なモジュール式部材。
【請求項６６】
前記床表面は、前記内室の中心に向かって、前記床表面の上を移動する物体をそらすこと
をさらに特徴とする、請求項５８に記載の相互連結可能なモジュール式部材。
【請求項６７】
前記モジュール式部材は、２つの水平方向の出口を有し、前記２つの水平方向の出口の各々は、前記内室の外につながる前記床表面における出口パスウェイを含み、各出口パスウェイは、前記床表面内に下向きで外向きの傾斜表面を形成すること
をさらに特徴とする、請求項５８に記載の相互連結可能なモジュール式部材。
【請求項６８】
前記２つの水平方向の出口パスウェイは、前記床表面において砂時計形状を定義すること
をさらに特徴とする、請求項６７に記載の相互連結可能なモジュール式部材。
【請求項６９】
前記２つの出口パスウェイの前記砂時計形状は、円環面と前記上向きの凹形状との交差として定義され、前記形状は、前記円環面に対してわずかに高くに配置され、前記２つの出口パスウェイの前記砂時計形状を定義すること
をさらに特徴とする、請求項６８に記載の相互連結可能なモジュール式部材。
【請求項７０】
前記モジュール式部材は、３つの水平方向の出口を有し、前記３つの水平方向の出口の各々は、前記内室の外につながる前記床表面における出口パスウェイを含み、各出口パスウェイは、前記床表面内に下向きで外向きの傾斜表面を形成すること
をさらに特徴とする、請求項５８に記載の相互連結可能なモジュール式部材。
【請求項７１】
前記モジュール式部材は、４つの水平方向の出口を定義し、前記４つの水平方向の出口の各々は、前記内室の外につながる前記床表面における出口パスウェイを含み、各出口パスウェイは、前記床表面内に下向きで外向きの傾斜表面を形成すること
をさらに特徴とする、請求項５８に記載の相互連結可能なモジュール式部材。
【請求項７２】
対向する出口パスウェイの各対は、前記床表面において砂時計形状を定義すること
をさらに特徴とする、請求項７１に記載の相互連結可能なモジュール式部材。
【請求項７３】
対向する出口パスウェイの各対の前記砂時計形状は、円環面と前記上向きの凹形状との交差として定義され、前記形状は、前記円環面に対してわずかに高くに配置され、前記対向する出口パスウェイの前記砂時計形状を定義すること
をさらに特徴とする、請求項７２に記載の相互連結可能なモジュール式部材。
【請求項７４】
前記モジュール式部材は、その対向し合う側上に形成された２つの水平方向の出口を含む、請求項５８に記載の相互連結可能なモジュール式部材。
【請求項７５】
前記カップリングは、前記水平方向の出口の各々の周囲に形成されたＵ字型形状を含む、請求項５８に記載の相互連結可能なモジュール式部材。
【請求項７６】
前記床表面は、前記水平方向の出口の各々につながるパスウェイを形成する対向する傾斜した形状である、請求項７４に記載の相互連結可能なモジュール式部材。
【請求項７７】
回転する物体または流体に対する移動パスウェイを提供する方法であって、
相互連結可能なモジュール式部材のセットを提供することであって、各モジュール式部材は、結合されたときに、別のモジュール式部材に対して垂直方向に半分のステップだけオフセットされ、前記セットは、複数の入口と１つの出口とを有する少なくとも第１のモジュール式部材と、複数の入口と複数の出口とを有する少なくとも第２のモジュール式部材とを含み、前記モジュール式部材は、様々な構成で結合されることにより、前記回転する物体または流体に対する移動パスを形成することが可能であること
を特徴とする、方法。
【請求項７８】
前記セットは、複数の入口と１つの出口とを有する複数のモジュールと、複数の入口と複数の出口とを有する複数のモジュールとを含み、前記モジュールは、様々な構成で結合されることにより、前記回転する物体または流体に対する移動パスを形成することが可能であること
をさらに特徴とする、請求項７７に記載の方法。
【請求項７９】
前記第１のモジュール式部材は、前記複数の可能な入口のうちの１つを介して前記回転する物体を受け入れ、前記回転する物体が前記第１のモジュール式部材から第１の方向に出ることを可能にする出口パスウェイを提供することと、
前記第２のモジュール式部材は、前記第１のモジュール式部材の前記出口パスウェイと整列された入口パスウェイを介して前記回転する物体を受け入れ、前記回転する物体が前記第２のモジュール式部材から実質的に第１の方向に出ることを可能にする出口パスウェイを提供することと
をさらに特徴とする、請求項７７に記載の方法。
【請求項８０】
前記第１のモジュール式部材の底面に結合された第３のモジュール式部材を提供することであって、前記第３のモジュール式部材は、前記複数の可能な入口のうちの１つを介して前記回転する物体を受け入れ、前記回転する物体が前記第１のモジュール式部材から実質的に第１の方向に出ることを可能にする出口パスウェイを提供することと、
前記第２のモジュール式部材の底面に結合され、前記第３のモジュール式部材に結合され、前記第３のモジュール式部材に対して垂直方向に下向きに半分のステップだけオフセットされた、第４のモジュール式部材を提供することであって、前記第４のモジュール式部材は、前記第３のモジュール式部材の前記出口パスウェイと整列された入口パスウェイを介して前記回転する物体を受け入れ、前記回転する物体が前記第４のモジュール式部材から実質的に第１の方向に出ることを可能にする出口パスウェイを提供することと
をさらに特徴とする、請求項７９に記載の方法。
【請求項８１】
前記第１のモジュール式部材は、前記複数の可能な入口のうちの１つを介して前記回転する物体を受け入れ、前記回転する物体が前記第１のモジュール式部材から第１の方向に出ることを可能にする出口パスウェイを提供することと、
前記第２のモジュール式部材は、前記第１のモジュール式部材の前記出口パスウェイと整列された入口パスウェイを介して前記回転する物体を受け入れ、前記回転する物体が前記第２のモジュール式部材から実質的に第１の方向に垂直な第２の方向に出ることを可能にする出口パスウェイを提供することと
をさらに特徴とする、請求項７７に記載の方法。
【請求項８２】
前記第２のモジュール式部材に結合され、前記第２のモジュール式部材に対して垂直方向に下向きに半分のステップだけオフセットされた、第３のモジュール式部材を提供することであって、前記第３のモジュール式部材は、前記第２のモジュール式部材の前記出口パスウェイと整列された入口パスウェイを介して前記回転する物体を受け入れ、前記回転する物体が前記第３のモジュール式部材から前記第１の方向とは実質的に反対の第３の方向から出ることを可能にする出口パスウェイを提供すること
をさらに特徴とする、請求項８１に記載の方法。
【請求項８３】
前記第３のモジュール式部材に結合され、前記第３のモジュール式部材に対して垂直方向に下向きに半分のステップだけオフセットされた、第４のモジュール式部材を提供することであって、前記第４のモジュール式部材は、前記第３のモジュール式部材の前記出口パスウェイと整列された入口パスウェイを介して前記回転する物体を受け入れ、前記回転する物体が前記第４のモジュール式部材から前記第２の方向とは実質的に反対の第４の方向から出ることを可能にする出口パスウェイを提供すること
をさらに含む、請求項８２に記載の方法。
【請求項８４】
第２の移動パスウェイは、
前記第１のモジュール式部材の底面に結合された第３のモジュール式部材を提供することであって、前記第３のモジュール式部材は、前記複数の可能な入口のうちの１つを介して前記回転する物体を受け入れ、前記回転する物体が前記第３のモジュール式部材から実質的に前記第１の方向に出ることを可能にする出口パスウェイを提供することと、
前記第２のモジュール式部材の底面に結合され、前記第３のモジュール式部材に結合され、前記第３のモジュール式部材に対して垂直方向に下向きに半分のステップだけオフセットされた、第４のモジュール式部材を提供することであって、前記第４のモジュール式部材は、前記第３のモジュール式部材の前記出口パスウェイと整列された入口パスウェイを介して前記回転する物体を受け入れ、前記回転する物体が前記第４のモジュール式部材から実質的に第２の方向に出ることを可能にする出口パスウェイを提供することと
によって提供される、請求項８１に記載の方法。
【請求項８５】
第２の移動パスウェイは、
前記第１のモジュール式部材の底面に結合された第４のモジュール式部材を提供することであって、前記第４のモジュール式部材は、前記複数の可能な入口のうちの１つを介して前記回転する物体を受け入れ、前記回転する物体が前記第４のモジュール式部材から実質的に前記第１の方向に出ることを可能にする出口パスウェイを提供することと、
前記第２のモジュール式部材の底面に結合され、前記第４のモジュール式部材に結合され、前記第４のモジュール式部材に対して垂直方向に下向きに半分のステップだけオフセットされた、第５のモジュール式部材を提供することであって、前記第５のモジュール式部材は、前記第４のモジュール式部材の前記出口パスウェイと整列された入口パスウェイを介して前記回転する物体を受け入れ、前記回転する物体が前記第５のモジュール式部材から実質的に第２の方向に出ることを可能にする出口パスウェイを提供することと、
前記第３のモジュール式部材の底面に結合され、前記第５のモジュール式部材に結合され、前記第５のモジュール式部材に対して垂直方向に下向きに半分のステップだけオフセットされた、第６のモジュール式部材を提供することであって、前記第６のモジュール式部材は、前記第５のモジュール式部材の前記出口パスウェイと整列された入口パスウェイを介して前記回転する物体を受け入れ、前記回転する物体が前記第６のモジュール式部材から実質的に第３の方向に出ることを可能にする出口パスウェイを提供することと
によって提供される、請求項８２に記載の方法。
【請求項８６】
第２の移動パスウェイは、
前記第１のモジュール式部材の底面に結合された第５のモジュール式部材を提供することであって、前記第５のモジュール式部材は、前記複数の可能な入口のうちの１つを介して前記回転する物体を受け入れ、前記回転する物体が前記第５のモジュール式部材から実質的に前記第１の方向に出ることを可能にする出口パスウェイを提供することと、
前記第２のモジュール式部材の底面に結合され、前記第５のモジュール式部材に結合され、前記第５のモジュール式部材に対して垂直方向に下向きに半分のステップだけオフセットされた、第６のモジュール式部材を提供することであって、前記第６のモジュール式部材は、前記第５のモジュール式部材の前記出口パスウェイと整列された入口パスウェイを介して前記回転する物体を受け入れ、前記回転する物体が前記第６のモジュール式部材から実質的に第２の方向に出ることを可能にする出口パスウェイを提供することと、
前記第３のモジュール式部材の底面に結合され、前記第６のモジュール式部材に結合され、前記第６のモジュール式部材に対して垂直方向に下向きに半分のステップだけオフセットされた、第７のモジュール式部材を提供することであって、前記第７のモジュール式部材は、前記第６のモジュール式部材の前記出口パスウェイと整列された入口パスウェイを介して前記回転する物体を受け入れ、前記回転する物体が前記第７のモジュール式部材から実質的に第３の方向に出ることを可能にする出口パスウェイを提供することと、
前記第４のモジュール式部材の底面に結合され、前記第７のモジュール式部材に結合され、前記第７のモジュール式部材に対して垂直方向に下向きに半分のステップだけオフセットされた、第８のモジュール式部材を提供することであって、前記第８のモジュール式部材は、前記第７のモジュール式部材の前記出口パスウェイと整列された入口パスウェイを介して前記回転する物体を受け入れ、前記回転する物体が前記第８のモジュール式部材から実質的に第４の方向に出ることを可能にする出口パスウェイを提供することと
によって提供される、請求項８３に記載の方法。